(57)【要約】【課題】カメラユニットを本体部分と分離しても撮影に必要な電源供給を確保できる携帯電話機及びデジタルカメラを提供する。【解決手段】Ｓ１では、分離した撮影ユニット部１で撮影する画像の枚数の入力を受け付ける。Ｓ２では、分離した撮影ユニット部１で入力された枚数分の画像を撮影するのに必要な電力（必要電力）を算出する。Ｓ３では、算出された電力と現在の電池２４の充電量から供給できる電力（供給可能電力）とを比較し、必要電力≦供給可能電力であるか否かを判断する。必要電力≦供給可能電力の場合はＳ５に移行し、必要電力＞供給可能電力の場合はＳ４に移行する。Ｓ４では、ＣＰＵ３４は電池４２から電池２４に電源供給し充電を行うよう電源回路４１、２５を制御する。【選択図】  図３
2005323081.tif 000002
【特許請求の範囲】
【請求項１】
撮影ユニット部と、前記撮影ユニット部を着脱可能な本体部とを備える携帯電話機であって、
前記撮像ユニット部は、撮影レンズと、撮像素子と、前記本体部に着脱される第１のコネクタと、前記第１のコネクタを前記本体部に装着することにより前記本体部から電源供給又は充電を受けることが可能な第１の電源手段と、前記本体部と無線通信して前記撮像レンズ及び撮像素子を介して得られる被写体像を示す信号を前記本体部に伝達する第１の無線通信手段とを含み、
前記本体部は、前記第１のコネクタに接続される第２のコネクタと、前記第２のコネクタを介して前記撮像ユニット部に電源を供給可能な第２の電源手段と、前記第１の無線通信手段と無線通信する第２の無線通信手段と、前記被写体像を示す信号を処理する信号処理手段と、前記信号処理手段によって処理された画像データを記憶する記憶手段と、移動体電話通信網と接続して通話音声を送受信する通話手段とを含む携帯電話機。
【請求項２】
前記本体部は、前記本体部から分離された撮影ユニット部による撮影に必要な電力量を算出する電力量算出手段をさらに含む請求項１に記載の携帯電話機。
【請求項３】
前記本体部は、前記第１の電源手段の供給可能な電力量と前記算出された電力量との比較に応じて前記第２の電源手段から前記第１の電源手段に充電する充電制御手段をさらに含む請求項２に記載の携帯電話機。
【請求項４】
前記本体部は、前記第１の電源手段の供給可能な電力量と前記算出された電力量との比較に応じて前記撮像ユニット部の機能を制限する機能制限手段をさらに含む請求項２に記載の携帯電話機。
【請求項５】
撮影ユニット部と、前記撮影ユニット部を着脱可能な本体部とを備えるデジタルカメラであって、
前記撮像ユニット部は、撮影レンズと、撮像素子と、前記本体部に着脱される第１のコネクタと、前記第１のコネクタを前記本体部に装着することにより前記本体部から電源供給又は充電を受けることが可能な第１の電源手段と、前記本体部と無線通信して前記撮像レンズ及び撮像素子を介して得られる被写体像を示す信号を前記本体部に伝達する第１の無線通信手段とを含み、
前記本体部は、前記第１のコネクタに接続される第２のコネクタと、前記第２のコネクタを介して前記撮像ユニット部に電源を供給可能な第２の電源手段と、前記第１の無線通信手段と無線通信する第２の無線通信手段と、前記被写体像を示す信号を処理する信号処理手段と、前記信号処理手段によって処理された画像データを記憶する記憶手段と、前記本体部から分離された撮影ユニット部による撮影に必要な電力量を算出する電力量算出手段と、前記第２の電源手段の供給可能な電力量と前記算出された電力量との比較に応じて前記撮像ユニット部の機能を制限する機能制限手段とを含むデジタルカメラ。
【発明の詳細な説明】
【技術分野】
【０００１】
本発明は携帯電話機及びデジタルカメラに係り、特に本体部分と撮影部分が分離可能な携帯電話機及びデジタルカメラに関する。
【背景技術】
【０００２】
従来、カメラユニットと本体部分が分離された携帯電話機が様々考案されている。例えば、特許文献１によると、分離可能な接続をするためのコネクタ手段をカメラユニットと移動電話機の両方に備え、カメラユニットの少なくとも一部を制御するための移動電話機を使用する。
【特許文献１】特開２０００−１３４５９５号公報
【発明の開示】
【発明が解決しようとする課題】
【０００３】
ところが、特許文献１の技術によると、カメラユニットを移動電話機と分離した場合、カメラユニットによる撮影に必要な電源供給をどうするかについて具体的に記載されていない。本発明はこのような問題点に鑑みてなされたもので、カメラユニットを本体部分と分離しても撮影に必要な電源供給を確保できる携帯電話機及びデジタルカメラを提供することを目的とする。
【課題を解決するための手段】
【０００４】
上述の課題を解決するため、請求項１に係る発明は、撮影ユニット部と、前記撮影ユニット部を着脱可能な本体部とを備える携帯電話機であって、前記撮像ユニット部は、撮影レンズと、撮像素子と、前記本体部に着脱される第１のコネクタと、前記第１のコネクタを前記本体部に装着することにより前記本体部から電源供給又は充電を受けることが可能な第１の電源手段と、前記本体部と無線通信して前記撮像レンズ及び撮像素子を介して得られる被写体像を示す信号を前記本体部に伝達する第１の無線通信手段とを含み、前記本体部は、前記第１のコネクタに接続される第２のコネクタと、前記第２のコネクタを介して前記撮像ユニット部に電源を供給可能な第２の電源手段と、前記第１の無線通信手段と無線通信する第２の無線通信手段と、前記被写体像を示す信号を処理する信号処理手段と、前記信号処理手段によって処理された画像データを記憶する記憶手段と、移動体電話通信網と接続して通話音声を送受信する通話手段とを含む。
【０００５】
この発明によると、撮影ユニット部を本体部から分離しても第１の電源手段からの電源供給で駆動できる。
【０００６】
請求項２に係る発明は、請求項１に記載の携帯電話機において、前記本体部は、前記本体部から分離された撮影ユニット部による撮影に必要な電力量を算出する電力量算出手段をさらに含む。
【０００７】
請求項３に係る発明は、請求項２に記載の携帯電話機において、前記本体部は、前記第１の電源手段の供給可能な電力量と前記算出された電力量との比較に応じて前記第２の電源手段から前記第１の電源手段に充電する充電制御手段をさらに含む。
【０００８】
この発明によると、第１の電源手段の供給可能な電力量が分離された撮影ユニット部による撮影に必要な電力量に満たない場合、第２の電源手段から第１の電源手段に充電を行うため、分離後の電源確保が確実となる。
【０００９】
請求項４に係る発明は、請求項２に記載の携帯電話機において、前記本体部は、前記第１の電源手段の供給可能な電力量と前記算出された電力量との比較に応じて前記撮像ユニット部の機能を制限する機能制限手段をさらに含む。
【００１０】
この発明によると、本体部から分離された撮影ユニット部による撮影に必要な電力量を算出し、第１の電源手段の供給可能な電力量と算出された電力量との比較に応じて撮像ユニット部の機能、例えば消費電力の大きい機能を制限するため、第１の電源手段の供給可能な電力量の範囲で分離された撮影ユニット部による撮影を行うことができる。
【００１１】
請求項５に係る発明は、撮影ユニット部と、前記撮影ユニット部を着脱可能な本体部とを備えるデジタルカメラであって、前記撮像ユニット部は、撮影レンズと、撮像素子と、前記本体部に着脱される第１のコネクタと、前記第１のコネクタを前記本体部に装着することにより前記本体部から電源供給又は充電を受けることが可能な第１の電源手段と、前記本体部と無線通信して前記撮像レンズ及び撮像素子を介して得られる被写体像を示す信号を前記本体部に伝達する第１の無線通信手段とを含み、前記本体部は、前記第１のコネクタに接続される第２のコネクタと、前記第２のコネクタを介して前記撮像ユニット部に電源を供給可能な第２の電源手段と、前記第１の無線通信手段と無線通信する第２の無線通信手段と、前記被写体像を示す信号を処理する信号処理手段と、前記信号処理手段によって処理された画像データを記憶する記憶手段と、前記本体部から分離された撮影ユニット部による撮影に必要な電力量を算出する電力量算出手段と、前記第２の電源手段の供給可能な電力量と前記算出された電力量との比較に応じて前記撮像ユニット部の機能を制限する機能制限手段とを含む。
【００１２】
この発明によると、本体部から分離された撮影ユニット部による撮影に必要な電力量を算出し、第１の電源手段の供給可能な電力量と算出された電力量との比較に応じて撮像ユニット部の機能、例えば消費電力の大きい機能を制限するため、第１の電源手段の供給可能な電力量の範囲で分離された撮影ユニット部による撮影を行うことができる。
【発明の効果】
【００１３】
この発明によると、撮影ユニット部を本体部から分離しても第１の電源手段からの電源供給で駆動できる。また、この発明によると、本体部から分離された撮影ユニット部による撮影に必要な電力量を算出し、第１の電源手段の供給可能な電力量と算出された電力量との比較に応じて撮像ユニット部の機能、例えば消費電力の大きい機能を制限するため、第１の電源手段の供給可能な電力量の範囲で分離された撮影ユニット部による撮影を行うことができる。
【発明を実施するための最良の形態】
【００１４】
以下、添付した図面を参照し本発明の好ましい実施の形態を説明する。図１は本発明に係るカメラ付き携帯電話機の実施の形態を示す外観図である。図１に示すように、このカメラ付き携帯電話機は、撮像ユニット部１と、電話機能を有する本体部２とから構成されている。図１に示すように、撮像ユニット部１及び本体部２には、それぞれコネクタ２１、３１が側面に設けられており、このコネクタ２１、３１を介して撮像ユニット部１を本体部２に着脱できるようになっている。本体部２には各種表示を行う表示部３８及び各種操作ボタンからなる操作部３９が設けられている。
【００１５】
図２に示すように、本体部２は、撮像ユニット部１のコネクタ２１と有線接続されるコネクタ３１、撮像ユニット部１の無線通信部２２とBluetoothや赤外線通信などで無線接続される無線通信部３２、信号処理回路３３、中央処理回路（ＣＰＵ）３４、メモリコントローラ３５、複数コマの画像データを記憶するフラッシュメモリ等の画像メモリ３６、本体部２内の各回路及びコネクタ３１に接続された撮像ユニット部１に電池４２からの電力を供給する電源回路４１を有している。また、本体部２は、本体部２ごとに一意に割り当てられた電話番号及びＥメールアドレスや、ユーザが任意に設定可能なアドレス帳、ＣＰＵ３４の実行する処理を記述するプログラムなどが記憶されたフラッシュＲＯＭ４３、ＣＰＵ３４が各種処理を実行する際に必要な一時データを記憶するＳＤＲＡＭ４４を有している。また、本体部２は、他の電話と無線接続して音声信号やデータ信号を送受信する無線通信回路、音声入力するマイクロフォン、受信した音声信号を音声出力するスピーカなどからなる電話機部４０、液晶ディスプレイなどで構成され画像データの表す画像などを表示する表示部３８、表示部３８の表示内容を制御する表示コントローラ３７、操作入力を受け付ける操作部３９を備えている。
【００１６】
本体部２は、撮像ユニット部１のコネクタ２１に有線接続されるコネクタ３１と、撮像ユニット部１の無線通信部２２に無線接続される無線通信部３２とが共用できるように構成されている。即ち、本体部２には、コネクタ３１又は無線通信部３２のいずれか一方からの入出力データを選択するためのセレクタ４６と、このセレクタ４６を切り換えるための切換えスイッチ４５とが設けられている。撮像ユニット部１が本体部２から分離されている場合、切換えスイッチ４５はＯＦＦになっている。一方、撮像ユニット部１が本体部２に装着された場合、撮像ユニット部１に設けられた図示しない突出部材により切換えスイッチ４５はＯＮになる。セレクタ４６は本体部２に内蔵される各回路から入力するデータをコネクタ３１又は無線通信部３２のいずれか一方に出力し、又はコネクタ３１又は無線通信部３２のいずれか一方から入力するデータを本体部２に内蔵される各回路に出力するもので、切換えスイッチ４５がＯＦＦの場合には無線通信部３２を選択し、切換えスイッチ４５がＯＮの場合にはコネクタ３１を選択する。さらに、切換えスイッチがＯＮの場合には、本体部２はコネクタ２１、３１を介して撮像ユニット部１の電源回路２５に電源供給を行う。
【００１７】
一方、撮像ユニット部１は、撮影レンズ１２、撮像素子（ＣＣＤ）１３、アナログ処理回路１４、Ａ／Ｄコンバータ１５、タイミング発生回路１６、コネクタ２１、無線通信部２２、スイッチ２３、電源供給回路２５、電池２４、セレクタ２６、ストロボ２８から構成されている。電池２４は、撮像ユニット部１を小型化するため、電力供給量が電池４２よりも制限される。電池２４及び電源供給回路２５の代わりに大型コンデンサを用いてもよい。なお、本体部２から分離した撮像ユニット部１を紛失しないよう、撮像ユニット部１にスピーカを設けて受信音声などを発生させるような構成にしてもよい。
【００１８】
撮像ユニット部１は、本体部２に装着して使用でき、本体部２から分離しても使用できる。このため、撮像ユニット部１は、本体部２のコネクタ３１に有線接続されるコネクタ２１と、本体部２の無線通信部３２に無線接続される無線通信部２２とが共用できるように構成されている。即ち、撮像ユニット部１には、本体部２と同様、コネクタ２１又は無線通信部２２のいずれか一方からの入出力データを選択するためのセレクタ２６と、このセレクタ２６を切り換えるための切換えスイッチ２３とが設けられている。撮像ユニット部１が本体部２から分離されている場合、切換えスイッチ２３はＯＦＦになっている。一方、撮像ユニット部１が本体部２に装着された場合、本体部２に設けられた図示しない突出部材により切換えスイッチ２３はＯＮになる。セレクタ２６は撮像ユニット部１に内蔵される各回路から入力するデータをコネクタ２１又は無線通信部２２のいずれか一方に出力し、又はコネクタ２１又は無線通信部２２のいずれか一方から入力するデータを撮像ユニット部１に内蔵される各回路に出力するもので、切換えスイッチ２３がＯＦＦの場合には無線通信部２２を選択し、切換えスイッチ２３がＯＮの場合にはコネクタ２１を選択する。さらに、切換えスイッチ２３がＯＮの場合には、電源回路２５はコネクタ２１、３１を介して本体部２の電源回路４１から電源供給を受ける。この際、電源回路２５は、電源回路４１からの供給電力を用いて電池２４に充電を行う。なお、切換えスイッチ２３の代わりに、本体部２のスイッチ４５のＯＮに従ってコネクタ２１又は無線通信部２２から入力する信号（切換え信号）に基づいてセレクタ２６の切換えを行うようにしてもよい。
【００１９】
次に、図３のフローチャートに基づき、本発明に係るカメラ付き携帯電話機の動作を説明する。Ｓ１では、分離した撮影ユニット部１で撮影する画像の枚数の入力を受け付ける。Ｓ２では、分離した撮影ユニット部１で入力された枚数分の画像を撮影するのに必要な電力（必要電力）を算出する。Ｓ３では、算出された電力と現在の電池２４の充電量から供給できる電力（供給可能電力）とを比較し、必要電力≦供給可能電力であるか否かを判断する。必要電力≦供給可能電力の場合はＳ５に移行し、必要電力＞供給可能電力の場合はＳ４に移行する。Ｓ４では、ＣＰＵ３４は電池４２から電池２４に電源供給し充電を行うよう電源回路４１、２５を制御する。Ｓ５では、撮影ユニット部１が本体部２から分離された状態で以下のような撮影動作を行う。操作部３９に含まれるシャッタレリーズボタンが押されると、撮影レンズ１２を介してＣＣＤ１３の受光面に結像した被写体像は、ここで光電変換され、ＣＣＤ駆動回路１７から加えられる駆動パルスによりＣＣＤ信号として順次読み出される。このＣＣＤ信号は、ＣＤＳクランプ回路、ゲイン調整回路、色バランス調整回路等を有するアナログ処理回路１４に加えられ、ここでアナログ処理された後、Ａ／Ｄコンバータ１５によってデジタル信号に変換され、無線通信部２２及び３２を介して本体部２の信号処理回路３３に出力される。ただし、撮像ユニット部１が本体部２に装着されている場合はコネクタ２１及び３１を介して出力することもできる。なお、タイミング発生回路１６から出力されるタイミング信号に基づいてＣＣＤ駆動回路１７から上記駆動パルスが出力されるとともに、アナログ処理回路１４、Ａ／Ｄコンバータ１５、信号処理回路３３等の同期がとられるようになっている。
【００２０】
信号処理回路３３は、輝度信号生成回路、色差信号生成回路、ガンマ補正回路、圧縮回路等を含み、これらの回路によって処理した画像データをメモリコントローラ３５を介して画像メモリ３４に記憶させる。ＣＰＵ３４は、カメラの各回路を統括・制御し、シャッタレリーズボタンからの入力信号により撮影を行うための制御、ストロボ２８の制御、メモリコントローラ３５の制御等を行う。
【００２１】
以上の動作により、撮像ユニット部１を本体部２と分離して撮影する際も必要な電源は確保される。なお、撮影ユニット部１を本体部２から分離して撮影動作を行う場合、電源回路２５で供給できる電力を上回る電力を必要とする回路には電源を供給しないような制御をＣＰＵ３４が行うことで撮影に必要な電源を確保してもよい。あるいは、供給電力の範囲内に収まるように機能を制限する制御をＣＰＵ３４が行うことで撮影に必要な電源を確保してもよい。例えば、ストロボ２８の発光、ズーム機能、オートフォーカス機能など、撮影ユニット部１の有する各種機能のうち消費電力の大きい機能は使用できないようにＣＰＵ３４が制限をかけてもよい。あるいは、ＣＣＤ１３の画素サイズや無線通信部２２の通信量を減らすなどして省電力で動作できるようにしてもよい。また、本発明は、電話機部４０を備えていない本体部２と撮像ユニット部１から構成されるデジタルカメラにも適用可能なのは言うまでもない。
【図面の簡単な説明】
【００２２】
【図１】本発明の好ましい実施形態に係るカメラ付き携帯電話機の外観図
【図２】カメラ付き携帯電話機のブロック構成図
【図３】カメラ付き携帯電話機の動作の流れを示すフローチャート
【符号の説明】
【００２３】
１：撮像ユニット部、２：本体部
【図１】
2005323081.tif 000003
【図２】
2005323081.tif 000004
【図３】
2005323081.tif 000005